(57)【要約】　　　（修正有）【課題】植生タイプと防草タイプの両コンクリートフレームを共通の型枠で成型することができるコンクリートフレームの型枠を提供する。【解決手段】コンクリートフレームの外形を区画する外枠２と、外枠２内に配されてコンクリートフレームの内形を区画する内枠３とからなり、内枠は共通の下内枠上に上内枠１２として植生用上内枠１３と防草用上内枠とを選択配置して固定可能であり、植生用上内枠と前記下内枠との間にパッキング材を備える。【選択図】　図１
0003099387.tif 000002
【実用新案登録請求の範囲】
【請求項１】
　盛土の壁面に沿って配置するコンクリートフレームを生コンクリートの成型により製造する型枠において、
　コンクリートフレームの外形を区画する外枠と、該外枠の内側に配されてコンクリートフレームの内形を区画する内枠と、からなり、
　該内枠は、下内枠と上内枠とに分割可能であって、共通の下内枠上に、上内枠として植生用上内枠と防草用上内枠とを選択して取り付け可能であり、
　前記植生用上内枠は、前記下内枠上に取り付けた状態でコンクリート打設面を超える上面高さを有し、
　該植生用上内枠の下端周縁部と前記下内枠の上端周縁部とに、上下から金網を挟み込むパッキング材を備えたことを特徴とするコンクリートフレーム成型用の型枠。
【請求項２】
　前記防草用上内枠は、前記下内枠上に配した状態でコンクリート打設面を下回る上面高さを有することを特徴とする請求項１に記載のコンクリートフレーム成型用の型枠。
【考案の詳細な説明】
【技術分野】
【０００１】
　本考案は、コンクリートフレームを生コンクリートの成型により製造する型枠に係り、特に、造成地において盛土の壁面に沿って配置するコンクリートフレームを製造する成型用の型枠に関する。
【背景技術】
【０００２】
　造成地においては、盛土して造成を行うことがあるが、その壁面に沿ってコンクリートフレームを配置して補強を行う。このコンクリートフレームは、植生タイプと防草タイプとに大別される。植生タイプのコンクリートフレームの中央には金網を張設した開口部が形成されており、土壁側に植生した草木を金網の網目から挿通させて表土を拘束するように成っている。一方、防草タイプのコンクリートフレームの中央には減肉凹部が形成されており、土壁面を露出させない構造と成っている。
　このような補強土擁に関連する技術としては、例えば、特開２００１−３１１１７２号公報（特許文献１）に「間伐材とジオグリッドを相互補完的に組合せた補強土擁壁」に係る発明が開示されている。
【特許文献１】特開２００１−３１１１７２号公報
【考案の開示】
【考案が解決しようとする課題】
【０００３】
　上述したように、コンクリート擁壁を構築するコンクリートフレームには植生タイプと防草タイプとがあるが、双方のフレームの外形が同じであってもそれぞれ別個の型枠を用いて成型しているのが現状であり、作業スペースが増大し、多くの型枠材を要していた。
　また、植生タイプのコンクリートフレームの場合には、中央の開口部を形成する内枠に金網を張設し生コンクリートを打設して成型するが、成型時に金網の線材挿入部からコンクリートミルクが漏れ出てしまい、緻密な成型が困難であった。
【０００４】
　本考案は、上記の課題に鑑みて創案されたものであり、その目的は、植生タイプのコンクリートフレームと防草タイプのコンクリートフレームとの双方のフレームを共通の型枠で成型することができ、植生タイプのフレームをも緻密に成型しうるコンクリートフレーム成型用の型枠を提供することにある。
【課題を解決するための手段】
【０００５】
　請求項１に記載のものは、盛土の壁面に沿って配置するコンクリートフレームを生コンクリートの成型により製造する型枠において、
　コンクリートフレームの外形を区画する外枠と、該外枠の内側に配されてコンクリートフレームの内形を区画する内枠と、からなり、
　該内枠は、下内枠と上内枠とに分割可能であって、共通の下内枠上に、上内枠として植生用上内枠と防草用上内枠とを選択して取り付け可能であり、
　前記植生用上内枠は、前記下内枠上に取り付けた状態でコンクリート打設面を超える上面高さを有し、
　該植生用上内枠の下端周縁部と前記下内枠の上端周縁部とに、上下から金網を挟み込むパッキング材を備えたことを特徴とするコンクリートフレーム成型用の型枠である。
【０００６】
　請求項２に記載のものは、前記防草用上内枠が、前記下内枠上に配した状態でコンクリート打設面を下回る上面高さを有することを特徴とする請求項１に記載のコンクリートフレーム成型用の型枠である。
【考案の効果】
【０００７】
　請求項１に記載の考案によれば、コンクリートフレームの外形を区画する外枠と、該外枠内に配してコンクリートフレームの内形を区画する内枠と、からなり、さらに内枠が下内枠と上内枠とに分割可能であり、共通の下内枠上に上内枠として植生用上内枠と防草用上内枠とを選択して取り付けるので、植生タイプのコンクリートフレームと防草タイプのコンクリートフレームとの双方のフレームを共通の型枠で製造することができる。
【０００８】
　また、植生用上内枠は下内枠上に配した状態でコンクリート打設面を超える上面高さを有しているので、これら植生用上内枠および下内枠を内枠としてコンクリートフレームの中央に貫通開口部を形成することができる。そして、植生用上内枠と下内枠との間に、上下にパッキング材を介して金網を挟み込むので、金網の線材挿入部からコンクリートミルクが漏れ出すことがなく、植生タイプのコンクリートフレームをも緻密に成型しうる。
【０００９】
　請求項２に記載の考案によれば、防草用上内枠は下内枠上に配した状態でコンクリート打設面を下回る上面高さを有するので、コンクリートフレームの中央に防草タイプとして減肉凹部を形成することができる。
【考案を実施するための最良の形態】
【００１０】
　以下、本考案を実施するための最良の形態を図面に基づいて説明する。
　図１は、本考案のコンクリートフレームの型枠の一形態であり、下内枠上に植生用上内枠を装着した状態を示す斜視図である。図２は、本考案のコンクリートフレームの型枠における外枠と下内枠を示す斜視図である。
【００１１】
　本考案の型枠１は、コンクリートフレームの外形を区画する外枠２と、この外枠２内に配してコンクリートフレームの内形を区画する内枠３とから概略構成されており、図３に示すような植生タイプのコンクリートフレーム２１と、図４に示すような防草タイプのコンクリートフレーム２２との双方のフレームを製造することができる。
【００１２】
　植生タイプのコンクリートフレーム２１は、中央に金網２３を張設した貫通開口部２４を有しており、土壁側に植生した草木を金網２３の網目から挿通させて表土を拘束するように成っている。一方、防草タイプのコンクリートフレーム２２の中央には減肉凹部２５が形成されており、この減肉凹部２５で土壁面を覆って露出させない構造と成っている。
【００１３】
　外枠２は、チャンネル鋼材等の枕材４上に敷設される長方形状の底板枠５と、この底板枠５の四辺を囲繞する二対の堰枠６，７とからなっている。これら二対の堰枠６，７の上面は所望のコンクリート打設面を超える高さに設定されており、離型時には二対の堰枠６，７をそれぞれ外側へと移動（回動）させて型開きできるように成っている。したがって、コンクリートフレーム２１，２２の上下面に段差部を成形しても支障なく脱型することができる。
【００１４】
　この外枠２の内側には、正方形の四隅を面取りした八角形状を呈する内枠３が設けられており、本実施形態では、外枠２内に二つの内枠３が左右横並びとなるように設けられている。各内枠３は、八角形の皿状の下内枠１１と上内枠１２とに上下に分割可能であり、共通の下内枠１１上に、上内枠１２として植生用上内枠１３と防草用上内枠１４（図６参照）とを交換して選択配置させることができる。下内枠１１は八角形の皿を上向きにした形状を呈しており、その上端周縁部には、ゴム製リップ状のパッキング材８が上方に突出した状態で装着されており、上端周縁部により囲まれた内側には、植生用上内枠１３を固定するためのナット１５が四隅に固定されると共に、その近傍に防草用上内枠１４の固定に用いる４箇所のボルト挿通孔１７が穿設されている。
【００１５】
　上内枠１２は、上述したように植生用上内枠１３と防草用上内枠１４との二種類が備えられており、それぞれ下内枠１１に対応して八角形の皿を下向きにした形状を呈している。植生用上内枠１３の下端周縁部には、ゴム製リップ状のパッキング材９（図８参照）が下向きに突出した状態で装着されており、その上面の四隅には上記ナット１５の位置に対応するようにボルト挿通孔１８が穿設されいる。したがって、この植生用上内枠１３を下内枠１１上に載せ、ボルト挿通孔１８に上方からボルト１９を挿入してナット１５に螺合すると、植生用上内枠１３が下内枠１１上に固定されて内枠となる。
【００１６】
　この植生用上内枠１３は、下内枠１１上に固定した状態でコンクリート打設面を超える上面高さを有しており、植生タイプのコンクリートフレーム２１を成型する際には、図５に示すように、下内枠１１と植生用上内枠１３との間に、上下にパッキング材８，９を介して金網２３を挟み込んで、ボルト締結により固定する。そして、このようにして金網２３を挟み込んでボルトで締め付けると、図８に示すように、金網２３の線材がパッキング材８，９に潜り込んで両パッキング材８，９の間に隙間が生じない。なお、本実施形態では、金網２３として、例えば４φの線材を縦横に溶接した金網を使用する。
【００１７】
　一方、防草用上内枠１４は、図６に示すように、防草タイプのコンクリートフレーム２２の減肉凹部２５を形成するので、下内枠１１上に取り付けた状態でコンクリート打設面を下回る上面高さを有しており、その上面は平滑に形成されている。そして、図７に示すように、防草用上内枠１４の下面には、下内枠１１内に穿設した上記ボルト挿通孔１７内に挿通するようにスタッドボルト２６が溶接固定されている。したがって、この防草用上内枠１４を下内枠１１上に載せてスタッドボルト２６をボルト挿通孔１７に通して底板枠５の下面へと挿通してナット１６を螺合することにより、防草用上内枠１４が固定できる。
【００１８】
　なお、本実施形態では、外枠２内に左右に横並びとなるように一対の下内枠１１を配しているが、下内枠１１の数はこれに限るものではなく、単一または三以上横並びに配してもよく、その形状も八角形に限るものではない。
【００１９】
　次に、本実施形態の型枠１を使用してコンクリートフレーム２１，２２を製造する手順を説明する。
　植生タイプのコンクリートフレーム２１を成型する場合は、まず、長方形の底板枠５の四辺に二対の堰枠６，７を固定して外枠２を組み立てた後、外枠２内の下内枠１１上に金網２３を載せる。本実施形態では、外枠２内に２つの下内枠１１が設けられているので、各下内枠１１上にそれぞれ略正方形に裁断した金網２３を別個に載せてもよいし、両下内枠１１上に亘るように略長方形に裁断した溶接金網２３を載せてもよい。そして、その上に植生用上内枠１３を配して、植生用上内枠１３の上面の四隅のボルト挿通孔１８に上方からボルト１９を挿入し、ナット１５に螺合することにより植生用上内枠１３を固定する。
【００２０】
　この状態で、外枠２内に植生用上内枠１３の上面未満の所定の高さまで生コンクリートを打設し、バイブレーターで振動を与えて隙間をなくす。このようにして生コンクリートを打設した時に、下内枠１１と植生用上内枠１３との間に金網２３を挟み込んでいても、図８に示すように、上下のパッキング材８，９の変形により金網２３の線材を潜り込ませて隙間をなくして密着させているので、線材挿入部からコンクリートミルクが漏れ出すことがなく、植生タイプのコンクリートフレーム２１を緻密に成型することができる。
【００２１】
　そして、養生した後に脱型すると、植生用上内枠１３の上面がコンクリート打設面を超える上面高さを有しているので、これら下内枠１１および植生用上内枠１３からなる内枠３の部分がコンクリートフレーム２１の貫通開口部２４となり、この貫通開口部２４内に金網２３が露出して、図３に示す植生タイプのコンクリートフレーム２１が出来上がる。
【００２２】
　一方、防草タイプのコンクリートフレーム２２を成型する場合は、長方形の底板枠５の四辺に二対の堰枠６，７を固定して外枠２を組み立てた後、外枠２内の下内枠１１上に防草用上内枠１４を載せて、スタッドボルト２６を下内枠１１内のボルト挿通孔１７に通過させ、底板枠５の下面へと挿通されたスタッドボルト２６にナット１６を螺合することにより、防草用上内枠１４を固定する。
【００２３】
　次にこの状態で、外枠２内に防草用上内枠１４の上面を超える所定の高さまで生コンクリートを打設し、バイブレーターで振動を与えて隙間をなくす。
【００２４】
　そして、養生した後に脱型すると、防草用上内枠１４は、下内枠１１上に取り付けた状態でコンクリート打設面を下回る上面高さを有しているので、減肉凹部２５を形成することができ、これにより図４に示す防草タイプのコンクリートフレーム２２が出来上がる。
【００２５】
　このように本実施形態の型枠１によれば、コンクリートフレームの内形を区画する内枠３が下内枠１１と上内枠１２とに分割可能であり、共通の下内枠１１上に、上内枠１２として植生用上内枠１３と防草用上内枠１４とを選択配置することができるので、植生タイプのコンクリートフレーム２１と防草タイプのコンクリートフレーム２２との双方のフレームを共通の型枠１で製造することができ、作業スペースを縮小することができ、型枠材を大幅に節減することができる。そして、植生用上内枠１３を使用すると、パッキング材８，９により金網２３の線材を挟み付けて隙間なく密着させることができるので、セメントミルクが漏出することがない。したがって、脱型後のばり取りなどの後処理が簡単であり、開口部２４に金網２３を張ったコンクリートフレーム２１を容易に製造することができる。
【図面の簡単な説明】
【００２６】
【図１】本考案のコンクリートフレームの型枠の一形態であり、下内枠上に植生用上内枠を装着した状態を示す斜視図である。
【図２】本考案のコンクリート製フレームの型枠における外枠と下内枠を示す斜視図である。
【図３】植生タイプのコンクリートフレームを示す斜視図である。
【図４】防草タイプのコンクリートフレームを示す斜視図である。
【図５】本考案のコンクリート製フレームの型枠において、下内枠と植生用上内枠との間に金網を挟み込んだ状態を示す斜視図である。
【図６】本実施形態のコンクリートフレームの型枠であり、下内枠上に防草用上内枠を装着した状態を示す斜視図である。
【図７】本実施形態のコンクリートフレームの型枠において、防草用上内枠の固定状態を示す概略図である。
【図８】本実施形態のコンクリートフレームの型枠において、パッキング材の密着状態を示す概略図である。
【符号の説明】
【００２７】
１　型枠
２　外枠
３　内枠
４　枕材
５　底板枠
６，７　堰枠
８，９　パッキング材
１１　下内枠
１２　上内枠
１３　植生用上内枠
１４　防草用上内枠
１５，１６　ナット
１７，１８　ボルト挿通孔
１９　ボルト
２１　植生タイプのコンクリートフレーム
２２　防草タイプのコンクリートフレーム
２３　金網
２４　開口部
２５　減肉凹部
２６　スタッドボルト
【図１】
0003099387.tif 000003
【図２】
0003099387.tif 000004
【図３】
0003099387.tif 000005
【図４】
0003099387.tif 000006
【図５】
0003099387.tif 000007
【図６】
0003099387.tif 000008
【図７】
0003099387.tif 000009
【図８】
0003099387.tif 000010